(57)【特許請求の範囲】
【請求項１】
データ送信装置（１００）において、
前記データ送信装置（１００）に電気エネルギを供給するエネルギ供給手段（１０２）と、
前記データ伝送装置（１００）に接続されたセンサ素子（１１６）により提供される有用データを判定する手段（１０４）と、
チャネル符号化データが得られるように前記有用データをチャネル符号化する手段（１０６）と、
前記チャネル符号化データを符号速度が１より小さい複数のデータパケット（１１２）に分割する手段（１０８）と、
前記複数のデータパケット（１１２）を、通信チャネル経由で、前記データパケット（１１２）の間に送信が行われない無送信期間が生じ、前記エネルギ供給手段（１０２）により提供できる電気エネルギの量が前記複数のデータパケット（１１２）のそれぞれを標準の送信電力で送信するのに十分となるように、前記データパケット（１１２）の間に時間間隔を設けて、送信するデータパケット送信手段（１１０）と、
を備え、
前記エネルギ供給手段（１０２）は、前記データ送信装置（１００）の周囲環境から無導線でエネルギを抽出する環境発電素子（１１４）と、この環境発電素子（１１４）により抽出されたエネルギを蓄え短時間のパルス状負荷を受けるエネルギ貯蔵器とを有し、
前記データパケット送信手段（１１０）は、前記エネルギ供給手段（１０２）の前記エネルギ貯蔵器が短時間のパルス状負荷を受けるように、前記データパケット（１１２）が送信される時間間隔を選択する構成であり、
前記データパケット送信手段（１１０）は、
前記複数のデータパケット（１１２）のうちの送信しようとする１つのデータパケットを、前記エネルギ供給手段（１０２）により提供される電気エネルギ量が、そのデータパケットを標準送信電力に比べて最大で４０ｄＢ制限された制限送信電力で送信するのに十分な場合に、前記制限送信電力で送信し、あるいは、
前記複数のデータパケット（１１２）のうちの送信しようとする１つのデータパケットを、前記エネルギ供給手段（１０２）により提供される電気エネルギ量が、そのデータパケットを送信するのに十分でない場合には、送信しないか、あるいは遅れをもって送信する
構成である
ことを特徴とするデータ送信装置（１００）。
【請求項２】
請求項１に記載のデータ送信装置（１００）において、前記環境発電素子（１１４）は、エネルギを生成するため、変形エネルギ、運動エネルギ、熱エネルギ、電磁エネルギまたは光エネルギを電気エネルギに変換する構成である、ことを特徴とするデータ送信装置（１００）。
【請求項３】
請求項１または２に記載のデータ送信装置（１００）において、
前記分割する手段（１０８）は、前記複数のデータパケット（１１２）の少なくとも２つのデータパケットに、それぞれ前記データ受信機（２００）内で前記データパケット（１１２）を同期させるためのパイロットシーケンスを設ける構成であり、
前記分割する手段（１０８）は、前記少なくとも２つのデータパケットの第１のデータパケットが、前記少なくとも２つのデータパケットの他のデータパケットのパイロットシーケンスの配置から逸脱するパイロットシーケンスを有するように、前記少なくとも２つのデータパケット内のパイロットシーケンスの配置を変化させる構成である、
ことを特徴とするデータ送信装置（１００）。
【請求項４】
請求項１から３のいずれか１項に記載のデータ送信装置（１００）において、前記複数のデータパケット（１１２）は、それぞれの長さが２０シンボル以下である、ことを特徴とするデータ送信装置。
【請求項５】
データ受信機（２００）において、
それぞれが１より小さい符号速度を有し通信チャネル経由で時間間隔をもって送信されそれらの間に送信が行われない無送信期間のあるデータパケット（１１２）を受信する手段（２０２）を備え、
このデータパケット（１１２）を受信する手段（２０２）は、
受信データストリーム内の前記データパケットを判定し、
前記受信データストリームの受信電力の変化を判定するため、それぞれのデータパケットの受信の間、および前記それぞれのデータパケットの受信の前および／または前記それぞれのデータパケットの受信に続く無送信期間の間に、前記受信データストリームの受信電力を測定し、
判定された受信電力の変化に基づいて、受信データパケットが得られるように、前記データパケット（１１２）のそれぞれにさらなる処理のための重みを付ける構成であり、
データ受信機（２００）はさらに、前記データパケットに含まれる有用データを得るように、前記受信データパケットの前記重みに依存する前記受信データパケットのチャネル復号化を実行する構成である前記受信データパケットをさらに処理する手段（２０４）を備える
ことを特徴とするデータ受信機。
【請求項６】
請求項５に記載のデータ受信機（２００）において、前記受信データパケットをさらに処理する手段（２０４）は、前記チャネル符号化において、より小さい重みを有するデータパケットより、より高い重みを有するデータパケットを大きく考慮する構成であること特徴とするデータ受信機（２００）。
【請求項７】
請求項５または６に記載のデータ受信機（２００）において、
前記データパケット（１１２）を受信する手段（２０２）は、前記データパケットのうち、その判定された受信電力の変化が、その対応するデータパケットが復号化に適しているように選択された閾値を超える受信データパケットについて、さらに処理する構成であり、
前記データパケット（１１２）を受信する手段（２０２）はさらに、前記データパケットのうち、その判定された受信電力の変化が前記閾値以下のデータパケットについては、廃棄する構成である、
ことを特徴とするデータ受信機（２００）。
【請求項８】
請求項５から７のいずれか１項に記載のデータ受信機（２００）において、
前記データパケット（１１２）を受信する手段（２０２）は、前記判定された受信電力の変化により、ある１つのデータパケットが送信されたか否かを判定する構成であり、および／または、
前記データパケット（１１２）を受信する手段（２０２）は、前記判定された受信電力の変化により、ある１つの送信されたデータパケットる干渉が重畳されているか否かを判定する構成である
ことを特徴とするデータ受信機（２００）。
【請求項９】
請求項５から８のいずれか１項に記載のデータ受信機（２００）において、前記データパケットにはそれぞれ、それぞれのデータパケットを前記データ受信機（２００）に同期させるためのパイロットシーケンスが設けられ、前記データパケット（１１２）を受信する手段（２０２）は、前記データパケットを前記受信データストリーム内に定義するように、前記パイロットシーケンスに基づいて前記データパケットを前記受信データストリーム内に配置する構成である、ことを特徴とするデータ受信機（２００）。
【請求項１０】
請求項９に記載のデータ受信機（２００）において、前記受信データパケットをさらに処理する手段（２０４）は、チャネル復号化のための前記受信データパケットの重みを、前記受信データパケットのパイロットシーケンスに基づいて適合させる構成である、ことを特徴とするデータ受信機（２００）。
【請求項１１】
請求項１から４のいずれか１項に記載のデータ送信装置（１００）と、請求項５から１０のいずれか１項に記載のデータ受信機（２００）とを備えるシステム（３００）。
【請求項１２】
データ送信装置（１００）の動作方法（４００）であって、
前記データ送信装置は、前記データ送信装置（１００）に電気エネルギを供給するエネルギ供給手段（１０２）を備え、このエネルギ供給手段（１０２）は、前記データ送信装置（１００）の周囲環境から無導線でエネルギを抽出する環境発電素子（１１４）と、この環境発電素子（１１４）により抽出されたエネルギを蓄え短時間のパルス状負荷を受けるエネルギ貯蔵器とを有しており、
前記動作方法（４００）は、
前記データ伝送装置（１００）に接続されたセンサ素子（１１６）により提供される有用データを判定し（４０２）、
チャネル符号化データが得られるように前記有用データをチャネル符号化し（４０４）、
前記チャネル符号化データを符号速度が１より小さい複数のデータパケット（１１２）に分割し（４０６）、
前記複数のデータパケットを、通信チャネル経由で、前記データパケット（１１２）の間に送信が行われない無送信期間が生じ、前記エネルギ供給手段（１０２）により提供できる電気エネルギの量が前記複数のデータパケット（１１２）のそれぞれを標準の送信電力で送信するのに十分となるように、前記データパケット（１１２）の間に時間間隔を設けて、送信し（４０８）、
前記複数のデータパケット（１１２）の前記送信（４０８）は、前記エネルギ供給手段（１０２）の前記エネルギ貯蔵器が短時間のパルス状負荷を受けるように、前記データパケット（１１２）が送信される時間間隔を選択し、
前記複数のデータパケット（１１２）の前記送信（４０８）は、
前記複数のデータパケット（１１２）のうちの送信しようとする１つのデータパケットを、前記エネルギ供給手段（１０２）により提供される電気エネルギ量が、そのデータパケットを標準送信電力に比べて最大で４０ｄＢ制限された制限送信電力で送信するのに十分な場合に、前記制限送信電力で送信し、あるいは、
前記複数のデータパケット（１１２）のうちの送信しようとする１つのデータパケットを、前記エネルギ供給手段（１０２）により提供される電気エネルギ量が、そのデータパケットを送信するのに十分でない場合には、送信しないか、あるいは遅れをもって送信する、
データ送信装置（１００）の動作方法（４００）。
【請求項１３】
請求項１２に記載の動作方法（４００）により送信されたデータパケットを受信するデータ受信機（２００）の動作方法（５００）であって、
それぞれが１より小さい符号速度を有し通信チャネル経由で時間間隔をもって送信されそれらの間に送信が行われない無送信期間のあるデータパケット（１１２）を受信し（５０２）、
このデータパケット（１１２）の受信（５０２）では、
前記受信データストリームの受信電力の変化を判定するため、それぞれのデータパケットの受信の間、および前記それぞれのデータパケットの受信の前および／または前記それぞれのデータパケットの受信に続く無送信期間の間に、前記受信データストリームの受信電力を測定し、
判定された受信電力の変化に基づいて、受信データパケットが得られるように、前記データパケット（１１２）のそれぞれに重みを付け（５０４）、
前記データパケットに含まれる有用データを得るように、前記受信データパケットの前記重みに依存する前記受信データパケットのチャネル復号化を実行する構成である前記受信データパケットをさらに処理する（５０６）
データ受信機（２００）の動作方法（５００）。
【請求項１４】
コンピュータで実行されるときに、請求項１２に記載の方法を実行する、コンピュータプログラム。
【請求項１５】
コンピュータで実行されるときに、請求項１３に記載の方法を実行する、コンピュータプログラム。
【発明の詳細な説明】
【技術分野】
【０００１】
本発明は、データ送信装置、データ受信機、データ送信装置とデータ受信機とを有するシステム、ならびにその動作方法に関する。さらに、本発明は、エネルギ供給に関して自己充足できるデータ送信装置に関する。実施形態によっては、制限された電力供給での低電力伝送のための無線伝送方法に関する。
【背景技術】
【０００２】
多数のノードから少量のデータ、例えば熱、電気または水のメータのようなセンサデータを例えば基地局に伝送するため、無線伝送システムが採用されている。この場合、基地局は、多数のノードから受信する（また、可能な制御を行う）。典型的に、基地局では、より多くの計算能力およびより多くの複雑なハードウェア、すなわち、一般的にいうと、性能の高い受信機を使うことができる。ノード内では、手軽な水晶発振器が用いられ、多くの場合、このような水晶発振器は、１０ｐｐｍ以上の周波数オフセットを有する。
【０００３】
既に、基地局とノードとの間でデータを転送する種々の一方向および双方向システムがある。既知のシステムとしては、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ，  無線技術による遠距離通信の国際標準）およびＲＦＩＤ  （Ｒａｄｉｏ  Ｆｒｅｑｕｅｎｃｙ  ＩＤｅｎｔｉｆｉｃａｔｉｏｎ）が知られている。これらのシステムの典型的なところは、基地局が基準周波数および基準時間を規定し、これに加入者が同期することである。ＩＲＦＩＤシスムでは、ＲＦＩＤ読取器が時間窓を規定して直後に送出し、その時間窓内で、ＲＦＩＤトランスポンダが応答のための時間点を任意に選択する。特定の時間間隔を付加的に同じ長さの時間スロットに分割する。これは、（分割）Ａｌｏｈａプロトコルに基づく時間スロットとして知られている。ＤＥＣＴでは、時間スロットが、固定して設定されたグリッド内に設けられることで、基地局は、正確な時間スロットを加入者に割り当て、加入者は、それを通信のために使用することが許される。水晶発振器の公差により生じる不正確さにより、時間スロット間に緩衝時間が設けられ、これにより、電文が互いに重なり合うことはない。
【０００４】
特許文献１は、バッテリ駆動されるデータ送信機の動作方法を開示している。この方法では、センサデータのパケット（電文）が、伝送されるべき実情報より小さい、少なくとも２つのデータパケットに分けられる（電文分割）。複数の電文が、いくつかのデータパケット（部分パケット）に分けられる。そのようなデータパケット（部分パケット）は、「ポップ」と呼ばれる。ホップ内で、いくつかの情報シンボルが伝送される。ホップは、１つの周波数で送出され、または複数の周波数に展開される（周波数ホッピング）。ポップ間には、転送が実行されない中断（ブレーク）がある。
【０００５】
データ送信機は、バッテリによる電力供給で行われるだけでなく、例えば、太陽電池のような環境発電素子経由で環境から、動きから、あるいは温度差から、そのエネルギを引き出すこともできる。例えば、無線操縦スイッチのためのＥｎＯｃｅａｎ（登録商標）システムが知られている。
【０００６】
例えば光、温度差または振動などの環境発電方法により環境からそのエネルギを引き出すデータ転送は、状況によって、エネルギを安定に供給することができない可能性がある。同じことがバッテリ駆動のデータ転送でも生じるが、それでも、制限された量のエネルギだけは、時間単位あたりに取り出すことができる。
【先行技術文献】
【特許文献】
【０００７】
【特許文献１】ＤＥ  １０  ２０１１  ０８２  ０９８  Ａ１
【発明の概要】
【発明が解決しようとする課題】
【０００８】
本発明は、エネルギ供給が制限され、および／またはエネルギ供給が変動する場合でも、有用なデータを確実かつ有効に伝送できるようにする概念を提供することを目的とする。
【課題を解決するための手段】
【０００９】
この目的は、  請求項１に記載のデータ送信装置、請求項７に記載のデータ受信機、請求項１３に記載のシステム、請求項１４に記載の方法、請求項１５に記載の方法、請求項１６に記載のコンピュータプログラム、請求項１７に記載のデータ送信装置により達成される。
【００１０】
本発明の実施形態は、データ送信装置を提供するもので、このデータ送信装置は、データ送信装置に電気エネルギを供給するエネルギ供給手段と、データ伝送装置に接続されたセンサ素子により提供される有用データを判定する手段と、チャネル符号化データが得られるように有用データをチャネル符号化する手段と、チャネル符号化データを符号速度が１より小さい複数のデータパケットに分割する手段と、複数のデータパケットを、通信チャネル経由で、エネルギ供給手段により提供できる電気エネルギの量が複数のデータパケットのそれぞれを標準の送信電力で送信するのに十分となる時間遅れをもって、送信するデータパケット送信手段と、を備える。データパケット送信手段は、複数のデータパケットのうちの送信しようとする１つのデータパケットを、エネルギ供給手段により提供される電気エネルギ量が、そのデータパケットを標準送信電力に比べて最大で４０ｄＢ制限された制限送信電力で送信するのに十分な場合に、制限送信電力で送信し、あるいは、複数のデータパケットのうちの送信しようとする１つのデータパケットを、エネルギ供給手段により提供される電気エネルギ量が、そのデータパケットを送信するのに十分でない場合には、送信しないか、あるいは遅れをもって送信する構成である。
【００１１】
本発明のさらなる実施形態は、エネルギ供給に関して自己充足できるデータ送信装置を提供する。このデータ送信装置は、データ送信装置の周囲環境から無導線でエネルギを抽出する環境発電素子を有し、データ送信装置に電気エネルギを供給するエネルギ供給手段と、データ伝送装置に接続されたセンサ素子により提供される有用データを判定する手段と、チャネル符号化データが得られるように有用データをチャネル符号化する手段と、チャネル符号化データを符号速度が１より小さい複数のデータパケットに分割する手段と、複数のデータパケットを、通信チャネル経由で、エネルギ供給手段により提供できる電気エネルギの量が複数のデータパケットのそれぞれを標準の送信電力で送信するのに十分となる時間遅れをもって、送信するデータパケット送信手段と、を備える。データパケット送信手段は、複数のデータパケットのうちの送信しようとする１つのデータパケットを、エネルギ供給手段により提供される電気エネルギ量が、そのデータパケットを標準送信電力に比べて最大で４０ｄＢ制限された制限送信電力で送信するのに十分な場合に、制限送信電力で送信し、あるいは、複数のデータパケットのうちの送信しようとする１つのデータパケットを、エネルギ供給手段により提供される電気エネルギ量が、そのデータパケットを送信するのに十分でない場合には、送信しないか、あるいは遅れをもって送信する構成である。
【００１２】
本発明のさらなる実施形態は、データ受信機を提供する。このデータ受信機は、それぞれが１より小さい符号を有し通信チャネル経由で時間遅れをもって送信されたデータパケットを受信する手段を備え、このデータパケットを受信する手段は、受信データストリーム内のデータパケットを判定し、データパケットの送信によりそれぞれに生じる受信データストリームの受信電力の変化を判定し、データパケットを受信する手段内で生じる受信電力の変化に基づいて、受信データパケットが得られるように、データパケットのそれぞれに重みを付ける構成であり、データ受信機はさらに、データパケットに含まれる有用データを得るように、受信データパケットの重みに依存する受信データパケットのチャネル復号化を実行する構成である受信データパケットをさらに処理する手段を備える。
【００１３】
本発明のさらなる実施形態は、データ受信機を提供する。このデータ受信機は、それぞれが１より小さい符号を有し通信チャネル経由で時間遅れをもって送信されたデータパケットを受信する手段を備え、このデータパケットを受信する手段は、受信データストリーム内のデータパケットを判定し、データパケットの送信によりそれぞれに生じる受信データストリームの受信電力の変化（または受信エネルギの変化）を判定し、データパケットのうち、データパケットを受信する手段内で生じた受信電力の変化（または受信エネルギ）が、その対応するデータパケットが復号化に適しているように選択された閾値を超える受信データパケットについて、さらに処理する構成であり、データ受信機はさらに、データパケットに含まれる有用データを得るように受信データパケットのチャネル復号化を実行する構成である受信データパケットをさらに処理する手段を備える。
【００１４】
本発明は、複数のデータパケットを、通信チャネル経由で、標準の送信電力で、エネルギ供給手段より提供できる電気エネルギの量がその目的に十分となる時間遅れをもって送信する、という着想に基づいている。しかしながら、エネルギ供給手段により提供される電気エネルギの量がこの目的に十分でない場合、複数のデータパケットのうちの送信しようとする１つのデータパケット（例えば、順番に従って送信される次のデータパケット）については、利用できる電気エネルギの量に依存して、制限された送信電力で送信するか、送信しないか、より後の時点で送信する。
【００１５】
エネルギ供給に関して自己充足できるデータ送信装置からの通信チャネル経由のデータパケットの送信において、データパケットは、例えば雑音、または同じまたは同等の周波数帯域内でデータパケットを同時に送信する他のデータ送信機による干渉を受けることがある。
【００１６】
そこで、データ受信機のデータパケットを受信する手段は、データパケットの送信によりそれぞれに生じる受信データストリームの受信電力の変化を判定し、データパケットを受信する手段内で生じる受信電力の変化に基づいて、受信データパケットが得られるように、データパケットのそれぞれに重みを付けるように構成される。
【００１７】
本発明のさらなる実施形態は、データ送信装置の動作方法を提供する。データ送信装置は、データ送信装置に電気エネルギを供給するエネルギ供給手段を備える。この方法では、データ伝送装置に接続されたセンサ素子により提供される有用データを判定し、チャネル符号化データが得られるように有用データをチャネル符号化し、チャネル符号化データを符号速度が１より小さい複数のデータパケットに分割し、複数のデータパケットを、通信チャネル経由で、エネルギ供給手段により供給できる電気エネルギの量が複数のデータパケットのそれぞれを標準の送信電力で送信するのに十分となる時間遅れをもって、送信する。ここで、複数のデータパケットの送信は、複数のデータパケットのうちの送信しようとする１つのデータパケットを、エネルギ供給手段により提供される電気エネルギ量が、そのデータパケットを標準送信電力に比べて最大で４０ｄＢ制限された制限送信電力で送信するのに十分な場合に、制限送信電力で送信し、あるいは、複数のデータパケットのうちの送信しようとする１つのデータパケットを、エネルギ供給手段により提供される電気エネルギ量が、そのデータパケットを送信するのに十分でない場合には、送信しないか、あるいは遅れをもって送信する。
【００１８】
さらなる実施形態は、データ受信機の動作方法を提供する。この方法では、それぞれが１より小さい符号を有し通信チャネル経由で時間遅れをもって送信されたデータパケットを受信し、このデータパケットの受信では、受信データストリーム内のデータパケットを判定し、データパケットの送信によりそれぞれに生じる受信データストリームの受信電力の変化を判定し、受信データストリームの受信電力の変化に基づいて、受信データパケットが得られるように、データパケットのそれぞれに重みを付け、データパケットに含まれる有用データを得るように、受信データパケットの重みに依存する受信データパケットのチャネル復号化を実行する構成である受信データパケットをさらに処理する。
【００１９】
本発明の実施形態について、添付図面を参照してより詳細に説明する。
【図面の簡単な説明】
【００２０】
【図１】本発明の一実施形態に係るデータ送信装置の概略的なブロック構成を示す。
【図２】本発明の一実施形態に係るデータ受信機の概略的なブロック構成を示す。
【図３】本発明の一実施形態に係るデータ送信装置とデータ受信機とを備えるシステムの概略的ブロック構成を示す。
【図４】データパケットが伝送される伝送チャネルのスペクトル占有率を、時間でプロットして示す。
【図５Ａ】同期シーケンスがデータパケット内に含まれるデータの間に配置されたデータパケットを概略を、複素素ベクトル表示で示す。
【図５Ｂ】２つの部分の同期シーケンスを有し、第１の部分の同期シーケンスが、データパケット内に含まれるデータの前に配置され、第２の部分の同期シーケンスが、データパケット内に含まれるデータの後に配置されるデータパケットの概略を、複素ベクトル表示で示す。
【図５Ｃ】同期シーケンスがデータパケット内に含まれるデータの間に配置され、周波数オフセットを含まないデータパケットの概略を、複素ベクトル表示で示す。
【図５Ｄ】２つの部分の同期シーケンスを有し、第１の部分の同期シーケンスが、データパケット内に含まれるデータの前に配置され、第２の部分の同期シーケンスが、データパケット内に含まれるデータの後に配置され、周波数オフセットを含まないデータパケットの概略を、複素ベクトル表示で示す。
【図５Ｅ】同期シーケンスがデータパケット内に含まれるデータの間に配置され、周波数オフセットを含むデータパケットの概略を、複素ベクトル表示で示す。
【図５Ｆ】２つの部分の同期シーケンスを有し、第１の部分の同期シーケンスが、データパケット内に含まれるデータの前に配置され、第２の部分の同期シーケンスが、データパケット内に含まれるデータの後に配置され、周波数オフセットを含むデータパケットの概略を、複素ベクトル表示で示す。
【図６】本発明の一実施形態に係るデータ送信装置の動作方法のフローチャートを示す。
【図７】本発明の一実施形態に係るデータ受信機の動作方法のフローチャートを示す。
【発明を実施するための形態】
【００２１】
本発明の実施形態についての以下の説明において、同等の構成要素、または同等の動作を有する構成要素については、図面内で同じ参照番号により参照し、異なる実施形態での説明は、互いに交換可能であるものとする。
【００２２】
図１は、本発明の一実施形態に係るデータ送信装置１００の概略的なブロック図を示す。データ送信装置１００は、データ送信装置１００に電気エネルギを供給するエネルギ供給手段１０２を有する。
【００２３】
さらに、データ送信装置１００は、このデータ送信装置１００に接続されたセンサ素子１１６から提供される有用データを判定する手段１０４と、チャネル符号化データが得られるように有用データをチャネル符号化する手段１０６と、チャネル符号化データを１より小さい符号速度を有する複数のデータパケットに分割する手段１０８とを備える。
【００２４】
さらに、データ送信装置１００は、データパケット１１２を、通信チャネル経由で、エネルギ供給手段１０２により供給できる電気エネルギの量が複数のデータパケット１１２のそれぞれを標準の送信電力で送信するのに十分となる時間遅れをもって、送信するデータパケット送信手段１１０を備える。このデータパケット送信手段１１０は、複数のデータパケット１１２のうちの送信しようとする１つのデータパケットを、エネルギ供給手段１０２により提供される電気エネルギ量が、そのデータパケットを標準送信電力に比べて最大で４０ｄＢ（または１ｄＢ，３ｄＢ，６ｄＢ，９ｄＢ，１０ｄＢ，１２ｄＢ，１５ｄＢ，１８ｄＢ，２１ｄＢ，２４ｄＢあるいは３０ｄＢ，４０ｄＢ）制限された制限送信電力で送信するのに十分な場合に、制限送信電力で送信し、あるいは、複数のデータパケット１１２のうちの送信しようとする１つのデータパケットを、エネルギ供給手段１０２により提供される電気エネルギ量が、そのデータパケットを送信するのに十分でない場合には、送信しないか、あるいは遅れをもって送信する。
【００２５】
実施形態では、チャネル符号化されたデータが複数のデータパケット１１２に分割され、そのそれぞれがチャネル符号化データのいくらかだけを含み、これにより、複数のデータパケット１１２が、それぞれ、チャネル符号化データより、またはチャネル符号化データを含む電文より短く、そのチャネル符号化データが、エネルギ供給手段１０２により提供されることのできる電気エネルギの量がこの目的に十分となるような、時間遅れを伴って通信チャネル経由で送信される。しかしながら、エネルギ供給手段１０２により提供されることのできる電気エネルギの量がこの目的に十分でない場合には、複数のデータパケット１１２のうちそのとき送信されようとする１つのデータパケットが、利用できる電気エネルギの量に依存して、制限された送信電力で送信されるか、送信されないか、後の時点で（その時点で、エネルギ供給手段１０２により提供されることのできる電気エネルギの量が、標準の送信電力で、あるいは制限された送信電力で送信するのに十分なだけ提供される場合）送信される。
【００２６】
エネルギ供給手段１０２は、例えばバッテリあるいはキャパシタのような蓄電器を備えることができる。さらに、エネルギ供給手段１０２は、データ送信装置１００の環境からエネルギを引き出す環境発電素子１１４を備えることもできる。小さいバッテリ（ボタン電池）あるいは環境発電素子１１４を用いる場合、ユーザにより求められるデータ量を送信するための十分なエネルギが得られないことがある。その場合、電文の個々のデータパケットを、例えば省略することができる。
【００２７】
環境発電とは、環境からの電気エネルギを抽出、すわなち環境内に存在する（非電気的）エネルギを電気エネルギに変換するものである。例えば、環境発電素子１１４は、エネルギ抽出の目的のため、変形エネルギ、運動エネルギ、熱エネルギ、流れエネルギ、電磁エネルギまたは光エネルギを電気エネルギに変換するように構成される。環境発電素子１１４は、例えば、太陽電池、熱電変換器、圧電結晶あるいはペルチェ素子を含むことができる。
【００２８】
さらに、エネルギ供給手段１０２は、環境発電素子１１４により抽出されたエネルギを蓄えるエネルギ貯蔵器を有することができる。エネルギ貯蔵器、例えば、バッテリあるいはキャパシタは、典型的には短時間のパルス状（バースト状）負荷だけ用に設計され、あるいはそのような負荷に適するものである。
【００２９】
この場合、データパケット送信手段１１０は、エネルギ供給手段１０２のエネルギ貯蔵器の負荷が制限されるように、データパケット１１２が送信される時間遅れを選択するように構成される。さらに、手段１０８は、エネルギ供給手段１０２のエネルギ貯蔵器の負荷が制限されるように、チャネル符号化有用データを分離し、チャネル符号化有用データを分離した、ある数のデータパケット１１２を選択するように構成されてもよい。
【００３０】
エネルギ貯蔵器の負荷は、データパケット１１２が通信チャネルを介して送信される時間遅れにより、そしてチャネル符号有用データが分離されたデータパケットの数により（そしてその結果としての個々のデータパケットの長さにより）、影響を受け、あるいは制御される。
【００３１】
さらに、データパケット送信手段１１０は、通信チャネルを経由して、対象範囲を広くするため狭帯域で、例えば１００ｋｂｉｔ／ｓではなく５０ｋｂｉｔ／ｓ以下、例えば４０ｋｂｉｔ／ｓ，３０ｋｂｉｔ／ｓ，２０ｋｂｉｔ／ｓあるいは１０ｋｂｉｔ／ｓというデータ速度で、データパケット１１２を送信するように構成される。この結果、ＳＮＲ（信号対雑音比）、そして対象範囲は、データ受信機において増加する。しかしながら、これは、ビット継続時間、およびそれによるビット当たりの送出エネルギが増加し、エネルギ貯蔵器の短時間パルス状負荷に反対に作用する。しかしながら、エネルギ貯蔵器の増加する負荷は、チャネルデータが複数のデータパケット１１２に分割されて通信チャネルを経由して時間遅れをもって送信される場合、データパケット１１２が各々、（全）チャネル符号化データを含む単一データパケット（または電文）より短いことで、相殺される。例えば、複数のデータパケット１１２は、それぞれが、２０シンボル（または３０，４０あるいは５０シンボル）以下の長さからなる。
【００３２】
有用データ判定手段１０４により判定された有用データは、送信装置１００に接続されたセンサ素子１１６により供給される。この実施形態において、センサ素子１１６は、データ送信装置１００の一部として形成されてもよい。すなわち、データ送信装置１００がセンサ装置１１６を有することもできる。センサ素子１１６としては、温度センサ、状態センサ、熱、電気または水のメータとすることができる。その場合、有用データは、センサ値、状態（例えばスイッチ位置）あるいはメータの読み取り値である。有用データは、１ｋｂｉｔ以下の量のデータを含むことができる。
【００３３】
センサ素子１１６により提供される有用データは、有用データをチャネル符号化する手段１０６により、チャネル符号化される。チャネル符号化データをチャネル符号化データに分離する手段１０８は、チャネル符号化データを複数のデータパケット１１２に分割するように構成され、それにより、複数のデータパケット１１２のそれぞれがチャネル符号化データの一部だけを含むことになり、換言すると、複数のデータパケット１１２が、（全）チャネル符号化データを含む単一のデータパケット（あるいは電文）より短くなる。データパケット送信手段１１０は、複数のデータパケット１１２を通信チャネルを介して時間遅れを伴って順次送信する。すなわち、データパケット１１２の間、これを「ホップ」といい、その間には、送信が行われないブレーク（無送信期間）がある。
【００３４】
さらに、データパケット送信手段１１０は、複数のデータパケット１１２を異なる周波数で送信（周波数ホッピング）するように構成されることができる。データパケット送信手段１１０は、例えば、複数のデータパケット１１２をいつかかの（少なくとも２つの）周波数で同時に送信することができ、および／または複数のデータパケット１１２の送信中に送信周波数を変更または変化させることができる。
【００３５】
実施形態によっては、チャネル符号化データを複数のデータパケット１１２に分離する手段１０８は、少なくとも２つのデータパケットに、データ受信機内のデータパケットを同期させせるために、同期シーケンスを提供する構成とすることもできる。当然、データ送信装置１００は、データパケットに同期シーケンスを設ける手段１０９を有することができる。ここで、チャネル符号化データを複数のデータパケット１１２に分離する手段１０８（またはデータパケットに同期シーケンスを設ける手段１０９）は、少なくとも２つのデータパケットの同期シーケンスの配置を変化させ、これにより、少なくとも２つのデータパケットの一方が、その少なくとも２つのデータパケットの他方の同期シーケンスの構成から逸脱する同期シーケンスの構成を含むように構成することもできる。
【００３６】
例えば、チャネル符号化データを複数のデータパケット１１２に分離する手段１０８は、同期シーケンスを有する少なくとも２つのデータパケットの第１のデータパケットに、データパケットの開始（または終了、あるいは分離方法によっては開始および終了（図５ｂ参照））時点で手配される同期シーケンスを提供し、少なくとも２つのデータパケットの第２のデータパケットを、この第２のデータパケット内に含まれるチャネル符号化データ間で手配される同期シーケンスを提供するように構成されることができる。
【００３７】
もちろん、チャネル符号化データを複数のデータパケット１１２に分離する手段１０８は、データパケットの各々に、データ受信機内でデータパケット１１２を同期させる同期シーケンスを設けるように構成されてもよく、データパケット１１２の少なくとも１つのデータパケットが、データパケット１１２の他のデータパケットの同期シーケンスの配置から逸脱した同期シーケンスの配置を含むように、データパケット１１２内の同期シーケンスの配置を変化させるように構成されてもよい。
【００３８】
図２は、本発明の一実施形態に係るデータ受信機２００の概略的なブロック構成図を示す。データ受信機２００は、それぞれが１より小さい符号速度を有し、通信チャネルから時間遅れをもって送信されるデータパケット１１２を受信する手段２０２を備え、このデータパケット１１２を受信する手段２０２は、受信データストリーム内のデータパケット１１２を判定して、データパケット１１２の送信によりそれぞれの場合に生じる受信データストリームの受信電力の変化（または受信エネルギの変化）を判定し、さらなる処理のために、データパケット１１２を受信する手段２０２内で生じた受信電力の変化（または受信エネルギの変化）に基づいて、データパケットのそれぞれに重み付けするように構成される。さらに、データ受信機２００は、受信したデータパケットをさらに処理する手段２０２を備え、この手段２０２は、データパケット内に含まれる有用データを判定するために、受信データパケットの重みに依存して、受信データのチャネル復号化を実行する。
【００３９】
実施形態によっては、データパケットは、データパケット１１２を通信チャネルを経由してデータ送信装置１００からデータ受信機２００に伝送する間に、例えば雑音により、あるいは同じまたは同等の周波数帯域内で同時にデータパケットを送信する他のデータ送信機により、干渉を受けることがある。データパケット１１２を受信する手段２０２は、データ受信機２００のデータパケット１１２を受信する手段２０２内のデータパケットの伝送により、それぞれの場合に生じる受信データストリームの受信電力の変化を判定し、データパケット１１２を受信する手段２０２内で生じる受信電力の変化に基づいてデータパケットのそれぞれに重みを付けるように、干渉を受けたデータパケットをフィルタにより除去するように構成され、これにより、データパケットをさらに処理する手段２０４は、データパケットに含まれる有用データを判定するように、重みに依存する受信データパケットのチャネル復号化を実行することができる。データパケット１１２の伝送によりそれぞれの場合に生じる受信データストリームの受信電力の変化が判定され、データパケットの重み付けのため、または処理中に使用される。
【００４０】
受信データパケットをさらに処理する手段２０４は、チャネル復号化において、小さい重みを有するデータパケットより、より大きい重みを有するデータパケットについて、より大きく考慮するように構成される。受信データパケットは、したがって、復号化時にその重みにより考慮される。受信電力が高いほど、復号化中により強く重み付けされる。
【００４１】
データパケット１１２を受信する手段２０２は、データパケット１１２のそれらのデータパケットを、データパケット１１２を受信する手段２０２内で生じる受信電力の変化が、対応するデータパケットが復号化に適するように選択された閾値を超えるデータパケットを受信したものとして、さらに処理する構成とすることができる。さらに、データパケット１１２を受信する手段２０２は、データパケット１１２を受信する手段２０２内で生じる受信電力の変化が閾値以下であるデータパケット１１２のデータパケットを、廃棄するように構成されることもできる。
【００４２】
当然ながら、データパケット１１２を受信する手段２０２はまた、受信電力の増加変化を伴うチャネル復号化内の全てのデータパケットを、重みの増加により考慮する構成とすることもできる。さらに、データパケット１１２を受信する手段２０２はまた、受信電力の変化に基づいて、データパケットが送信された可能性を判定し、それぞれの場合にその可能性に基づいてデータパケットに重み付けする構成とすることもできる。もちろん、データパケット１１２を受信する手段２０２はまた、受信データストリームの係数特性、例えばスペクトル特性を評価し、データパケットが送信されたか否か、および後続のさらなる処理／チャネル復号化で考慮されるその重み、を判定するように構成される。
【００４３】
データパケットを受信する手段２０２は、データパケット１１２のそれらのデータパケットを、データパケットを受信する手段２０２内で生じる受信電力の変化が、対応するデータパケットが復号化（チャネル復号化）に適するように選択された閾値を超えるデータパケットを受信したものとしてさらに処理し、データパケット１１２を受信する手段２０２内で生じる受信電力の変化が閾値以下であるデータパケット１１２のデータパケットを廃棄するように構成されることもできる
【００４４】
さらに、データパケット１１２を受信する手段２０２は、受信データストリームの受信電力の変化により、データパケットが送信されたか否かを判定し、および／または受信データストリームの受信電力の変化により、伝送されたデータパケットに干渉が重畳されているか否かを判定する構成とすることもできる。データパケット１１２を受信する手段２０２は、したがって、受信電力を例えば他の時点の受信と比較して、異なる加入者がそのチャネル（伝送チャネル）内で送信しているかどうかを判定する構成とすることもできる。
【００４５】
さらに、データパケット１１２を受信する手段２０２は、それぞれのデータパケットの受信に先立って、それぞれのデータパケットの受信中および／またはそれぞれのデータパケットの受信に続いて、受信データストリームの受信電力を判定し、それぞれのデータパケットの伝送により生じる受信データストリームの受信電力の変化を判定する構成とすることもできる。
【００４６】
実施形態よっては、データパケット１１２にはそれぞれ、データ受信機２００内でそれぞれのデータパケットを同期させる同期シーケンスを設けることができる。この場合、データパケット１１２を受信する手段２０２は、データパケット１１２を受信データストリーム内で判定するように、同期シーケンスに基づいて、データパケット１１２を受信データストリーム内で位置決めするように構成される。受信データパケットをさらに処理する手段２０４は、受信データパケットの重みを、受信データパケットの同期シーケンスに基づいて、後続のさらなる処理／チャネル復号化のための重みを採用するように構成される。また、受信データパケットをさらに処理する手段２０４は、受信データパケットの同期シーケンスに基づいて、復号化に適さない、または非常に適したデータパケットを判定し、チャネル復号化中に低重みのデータパケットを考慮する（またはそれを廃棄する）ことができる。
【００４７】
図３は本発明の一実施形態に係るシステム３００の概略的ブロック構成図を示す。このシステムは、図１に示すデータ送信装置１００と、図２に示すデータ受信機２００とを備える。
【００４８】
図３に示すシステム３００を以下により詳しく説明する。ただし、以下の記述は、図１に示すデータ送信装置１００にも同様に適用でき、図２に示すデータ受信機２００にも同様に適用できる。
【００４９】
上述の通り、データ送信装置１００のエネルギ供給手段１０２は、環境発電素子１１４を備える。環境発電素子１１４を経由して（または環境発電方法により）、例えば光、温度差、または振動を経由して、環境からそのエネルギを取り出すデータ送信装置１００では、ある状況下において、一定のエネルギ供給をできないことがある。同様のことがバッテリ駆動されるデータ送信装置１００にも当てはまるが、限られた量のエネルギだけは、単位時間当たりに引き出すことができる。この変化するエネルギ供給で動作できるように、この実施形態では、チャネル符号化データを、複数のデータパケット１１２に分割し、時間遅れをもって、通信チャネル経由で送信する。さらに、データパケット１１２は、エネルギ供給によっては、送信されなくてもよく、あるいは制限された送信電力で送信されてもよい。実施形態はまた、データ送信装置１００が、どのように、干渉を受けて消失した１または複数のパケットを同期および検波（チャネル復号化）させるかのアプローチについて説明する。これは、特に、多くのデータ送信装置１００が同時に互いに干渉して送信する場合、または他のシステムが同じ周波数帯域で動作し、そのために干渉する場合に特に適用される。
【００５０】
図４は、データパケットが伝送される伝送チャネルのスペクトル占有率を示す。干渉を検出するため、約１ｋＢｉｔ／ｓ以下の同等の帯域を有する狭帯域干渉１２８と、１ｋＢｉｔ／ｓより大きい帯域を有する広帯域干渉１３０とを最初に差別化する。狭帯域伝送システムは、典型的に、どのような電文分割方法（ＴＳ）も用いず、伝送すべきデータパケットの伝送時間は、電文分割方法における伝送より非常に長い。これは、他のデータパケットが他の送信機またはシステムにより送信されたかどうかを、ＴＳデータパケット１１２の前および／または後の受信電力を測定することにより、検出できるからである。ＴＳデータパケット１１２の前および／または後で同じ周波数の受信電力がある場合には、干渉信号が存在し、ＴＳデータパケット１１２は、復号化にはもはや使用されない。
【００５１】
狭帯域干渉は、ＴＳデータパケットに比べて周波数の逸脱を示すので、干渉により実際に生成される周波数オフセットによる低い受信電力は、ＴＳデータパケット１１２の伝送周波数Ｔｃで受信電力を測定することにより測定される。したがって、ＴＳデータパケット１１２の周波数範囲の近傍でも受信電力を判定することが有用である。これはまた、広帯域干渉１３０に対して特に有利である。より高いデータ速度を有する広帯域干渉１３０は、スペクトル内のより大きな周波数帯域を専有する。しかしながら、伝送されたデータパケットは、狭帯域伝送システムに比較して、同じ量のデータに対し、その高いデータ速度により、時間的に非常に短い。最悪の場合、データパケットは、ＴＳ法におけるデータパケットと長さが等しく、または短くなる。このとき、ＴＳデータパケット１１２の前または後の受信電力の測定により、どのような干渉も判定できないことが発生することがある。広帯域干渉は、このとき、ＴＳデータパケット１１２の間に、ＴＳデータパケット１１２に直接に隣接する周波数範囲で受信電力を測定することにより、判定される。
【００５２】
実施形態において、データ送信装置（送信機）１００は、制限されたエネルギ供給で、電文分離方法（ＴＳ法）で伝送する。すなわち、チャネル符号化データ（電文）は、複数のデータパケット１１２に分割され、時間遅れをもって通信チャネル経由で伝送される。エネルギが不十分な事態では、個々のデータパケット１１２は、送信されないか、単に、制限された送信電力で送信される。データ受信機２００は、干渉の無い、または僅かな干渉しかない受信データパケット（パケット）１１２が、受信データストリームからフィルタにより取り出され、チャネル符号化される。干渉を受けたデータパケットは、考慮に入れられることなく、または低重みで考慮される。さらに、データ受信機２００内で、データ送信装置１００により送信されたか否か、および／またはどのような可能性のレベルで送信されたか、および、このデータパケット（伝送パケットまたはサブパケット）が干渉を受けているかどうか、が判定される。データパケット（伝送パケット）１１２が干渉を受けていない場合、それを利用できるが、そうでない場合には、使用されないか、低重みで使用され、これにより、チャネル復号化の結果が改善される。データパケット（サブパケット）１１２が通信チャネル経由で伝送されている間に干渉を受けているかどうかを判定するため、受信データストリームの受信電力を、それぞれのデータパケットの受信に先立って、それぞれのデータパケットの受信に続いて、データ受信機２００内で測定し、互いに、そしてそれぞれのデータパケットの受信エネルギ（受信サブパケットエネルギ）と相関がとられる。さらに、干渉は、データパケット（サブパケット）１１２により、特に同期シーケンス（パイロット信号）内で判定される。さらに、異なるデータパケット１１２の、同じ周波数での、または隣接する周波数での受信エネルギが比較される。さらに、それぞれのデータパケット（サブパケット）１１２内での受信電力の連続性がモニターされる。例えば、ＥＶＭ（エラーベクトル振幅）測定が使用され、これにより、受信した配置点が予想される配置点に一致するかどうかを検証することができる。データパケット１１２が短いことにより、干渉パケットがより長い可能性が高くなる。今日用いられる方法と異なり、電文が中断されず、データパケット（パケット）１１２の間の干渉電力の測定を行うことができる。良好な同期が、伝送時間の正確な判定に要求される。
【００５３】
誤り保護符号のためには、受信シンボルが干渉を受けているかどうか、およびその程度受けているかを知ることが有利である。干渉を受けたシンボル内の情報を使用するより、それを廃棄したほうが良いことがある。通信技術では、情報の信頼性を示す対数尤度比で記述される。どのシンボルが干渉を受けているかを正確に知るとき、例えば畳込み符号やリードソロモン符号、ターボ符号などの誤り保護符号が、干渉を受けているが干渉を受けていることが分かっていないシンボルと比較して、大量のンボルが消失している電文（受信パケット）を復元することができる。受信情報がどれだけ信頼できるかを判定するため、この実施形態では、ポップ（またはデータパケット）１１２の間だけでなく、その少し前後に、データが記録される。その前後の情報はまた、シンボル信頼性の推定にも使用される。例えば、受信周波数における電力レベルが、受信周波数における平均電力レベルに比較して前後で高い場合には、例えば、他の伝送により生じる干渉による干渉の強さが推定される。
【００５４】
システム３００が備える受信機２００が１つだけであり、周波数ホッピング使用している場合には、この目的のため、ホップ（データパケット）１１２間の非伝送期間を有し、この期間をすべて、あるいは部分的に、干渉が生じているかどうかを検出するために、受信機３００で利用する必要がある。これは、ＴＳ法を用いて適用され、以上で説明した方法で評価される。このようにして、受信シンボルが干渉を受けているかどうか、どの程度干渉を受けているか、そしてそれを利用できるかどうか、を推定または検出することができる。極端な場合、ＴＳ受信機は、干渉を受けてない可能性の高いデータパケット（サブパケット）１１２だけを取り出す。
【００５５】
電文が連続的に送信される場合、特にＴＳ法により可能となる小データパケット（サブパケット）を用いる場合、有用信号の電力と同等あるいは有用信号の電力より小さい電力を示す干渉がどこに重畳し、ひいてはどこで有用信号と干渉しているかを検出することは、容易には可能ではない（干渉強度については、信号レベルが強く増加することから容易に検出でき、これは有用信号の受信時に確認できる）。したがって、干渉を受けた電文シンボルは、容易には廃棄できない、または干渉を受けていることが認識されない。制限された量の送信エネルギしか利用できない場合には、ＴＳ法は送信に利用でき、したがって、非伝送期間に伝送エネルギが消費されないので伝送システムの実行性能は増加するが、受信機２００は、そこでチャネルの状態、すわなち干渉が活性化しているかどうか、を確認することができる。電文がデータパケット（部分的パケット）１１２に分解されるほど、データパケット（部分パケット）１１２それ自身がより小さくなり、そのため、データパケット（部分パケット）１１２の期間の間のチャネル状態が変化する可能性、すなわち干渉が伝送され始める可能性を削減できるので、より正確に、チャネル状態をデータパケット（部分的パケット）１１２に対して推定することができる。環境発電電流源を用いるセンサノードに対して、ＴＳ法は非常に有利な方法で適用できる。その一方で、一時的に蓄えるためにそれほどエネルギを必要としない、小さいパケットを送信することもできる（特許文献１参照）。その一方で、送信エネルギがその時点で無いのであれば、単純にポップ１１２を送信せず、あるいは、例えば実際のポップの時間スロット前後のエネルギ上で送信エネルギを比較することにより、制限された電力で送信することも可能である。このような目的で、ホップ１１２が到来する時間スロットの前の信号電力Ｐｖ、ホップ１１２が到来する時間スロットの間の信号電力Ｐｗ、および  ホップ１１２が到来すべき時間スロットの後の信号電力Ｐｎが測定される。ＰｗがＰｖおよびＰｈより高い場合は、データ受信機２００は、データ送信装置がポップ（またはデータパケット）１１２を送信したとみなして問題ない。
【００５６】
データ送信装置１００（センサノード）が送信していない１つだけのホップがある場合、データ受信機２００は、これ（たぶん、データ送信装置１００が送信を実行しなかった可能性だけ）を認識することができ、この情報を、前方誤り訂正で使用することができる。前方誤り訂正が使用される場合、あるいは、より明確に言うと、いわゆるイレイジャー符号が用いられる場合（これらの符号は情報の消失部分の処理によく用いられ、ここでは通常の畳み込み符号を用いるが、噴水符号（Ｆｏｕｎｔａｉｎ  ｃｏｄｅａ）のような特別の符号を用いることもできる）、データ受信機２００は、十分な量の他のシンボルを受信できていれば、電文（受信パケット）を再構築することができる。受信機２００は、十分なシンボルを有している場合、復号化を試してみることができる。
【００５７】
伝送された電文を検出する（すなわち、周波数および／またはホッピングパターンの時点を見つける）ため、与えられた適切な検出感度で、全ての同期ホップ（同期情報を含む専用のホップを用いる場合）、および／またはパイロット信号を伴う全てのデータホップを受信することは、絶対に必要というわけではない。検出閾値の適切な選択および十分な数の同期ホップまたはパイロット信号を伴うデータホップの送出により、検出はまた、エネルギに関連する理由により多数のホップ１１２の送信を控える送信装置１００（センサノード）を受け入れることができる。ここで重要なことは、ホップ１１２がそれ自身１つだけでは検出のために十分ではなく、同期ホップまたはデータホップ内のパイロット信号のパターンを受信することで電文を検出するように、複数のホップ１１２が評価される。
【００５８】
以下では、単純および／または改善された同期について説明する。
【００５９】
いくつか、あるは全てのホップ１１２で、同期パターン（いわゆるパイロットシンボル）を送信することができる。実施形態によっては、同期パターンが２またはそれ以上の異なる配列のパイロット信号を切り替えることができる。
【００６０】
図５ａは、同期シーケンス１６２を有する  データパケット１１２の概要を示す図であり、この同期シーケンス１６２は、このデータパケット１１２内に含まれるデータの間に配置される（ホップ構造ａ）。図５ａは、データパケット１１２（受信信号）を、複素ベクトル表示で示す。
【００６１】
図５ｂは、２つの部分の同期シーケンス１６２ａ，１６２ｂを有するデータパケット１１２の概要を示す図であり、第１の部分の同期シーケンス１６２ａが、データパケット１１２内に含まれるデータ１６０の前に配置され、第２の部分の同期シーケンス１６２ｂが、データパケット１１２内に含まれるデータ１６０の後に配置される（ホップ構造ｂ）。図５ｂは、データパケット１１２（受信信号）を、複素ベクトル表示で示す。
【００６２】
図５ａに示した同期シーケンスの配置を用いると、周波数オフセットがある場合でも、周波数オフセットによる位相がパイロットシンボル間でそれほど変化しないので、同期を容易に確立することができる。図５ｂに示す同期シーケンスの配置を用いると、位相がより目立って変化するので、周波数オフセットをより良く推定することができる。
【００６３】
したがって、図５ａに示す同期シーケンスの配置は、例えば相関により、初期同期を確立するために使用するのに適しており、図５ａに示す同期シーケンスの配置は、周波数推定の実行に使用するのに適している。正確な周波数オフセットの知識が、数ある中でも、効率的なタイプの変調の利用可能にする。
【００６４】
パイロット信号はまた、チャネル推定に用いられる。位相変調（例えばＭＫＳ（最小偏位）変調、特別の方法の周波数偏位変調）だけを必要とする単純な等価を使用する場合、パイロット信号が異なって配置されていても、パイロット信号と位相推定に無関係なので、障害にはならない。
【００６５】
実施形態によっては、パイロット信号の位置だけでなく、ホップ１１２内のパイロット信号それ自体を変化させることもできる。狭スペクトル領域だけを占有するパイロット信号パターン（配置ではなくパイロット信号の内容）を用いる場合、そのパイロット信号パターンは、広スペクトル領域を占有するパイロット信号パターンよりも、少ない計算負荷で見つけることができる。例えば、いくつかのホップ１１２で同一のパイロット信号が使用されている場合、それらは、いわゆる移動和を介して、少ない計算負荷により見つけられる。しかしながら、そのようなパイロット信号パターンを用いて正確な同期時間を決定することは、容易ではない。同期時間をより正確に決定するには、より広いスペクトル領域を有する適切なパイロット信号パターンを、他のホップ１１２で使用する。ここで、パイロット信号はチャネル等価でも使用されることから、同期で余計なエネルギが消費されることはない。
【００６６】
同期のため、既知のホッピングパターンを用いるので、単一ホップ１１２だけでなく複数のホップ１１２を考慮することもできる。
【００６７】
このような目的で、周波数がポップ１１２内で変化しない、または少ししか変化しないと仮定する。同期をより確実にするため、ここで提案するチャネル状態の推定を使用する。
【００６８】
以下では、同期シーケンス（パイロット信号）の分割の利点をより詳細に説明する。
【００６９】
発振器内に存在する不正確さのため、周波数オフセットが送信機１００と受信機２００との間で生じる。１００ｐｐｍの発振器では、送信周波数８６８ＭＨｚに対して周波数オフセットが既に約±８．７ｋＨｚある。概略した適用形態のように、例えば１ｋＨｚのシンボル速度のような非常に狭帯域の信号を送信すると、シンボル速度は、受信信号を送信信号に対してシフトさせる周波数より既に低いものとなる。
【００７０】
それでもなお信号を検出できるようにする１つのアプローチは、受信機が同じ時間に複数の隣接する狭帯域周波数帯で受信し、送信機の信号を見つけようとすることである。
【００７１】
図５ｃは、データパケット１１２を複素ベクトル表示で示す概要図であり、データパケット１１２は、その中に含まれるデータ１６０の間に配置された同期シーケンス１６２を有し（ホップ構造ｃ）、データパケット１１２（受信信号）は、周波数オフセットを示していない。図５ｃに示されるように、送信機１００および受信機２００が位相同期によっては動作していないので、ホップ構造ａ（図５ａ）による送信信号と比較すると、受信信号１１２は位相シフトを示している。
【００７２】
さらに、図５ｃは、複素ベクトル表示の相関シーケンス１４０、同期シーケンス１６２と相関シーケンス１４０との積１４２、および個々の積の和に相当する相関結果１４４を示す。
【００７３】
どのような周波数オフセットも無い（図５ｃ）場合の信号ホップ構成ａをパイロット信号周波数と直接に相関をとった場合、正確な時間的対応のため、高い相関ピークが得られる。この相関ピークは、受信機２００で、ホップ１１２がここで送信されたことを検出するために用いられ、および／または、受信機２００が、これを検出するため、いくつかのホップ１１２の相関ピークの組み合わせを使用する。
【００７４】
図５ｄは、２つの部分の同期シーケンス１６２ａ，１６２ｂを有するデータパケット１１２の概略を複素ベクトル表示で示す図であり、第１の部分の同期シーケンス１６２ａが、データパケット１１２内に含まれるデータ１６０の前に配置され、第２の部分の同期シーケンス１６２ｂが、データパケット１１２内に含まれるデータ１６０の後に配置され、ここで、データパケット１１２（受信信号）は、いかなる周波数オフセットも示していない。図５ｃと同様に、図５に示す受信信号１１２も、送信機１００および受信機２００が位相同期によっては動作していないので、ホップ構造ｂ（図５ｂ）による送信信号と比較すると、位相シフトを示している。
【００７５】
さらに、図５ｄは、いずれも複素ベクトル表示の２つの部分の相関シース１４０ａ，１４０ｂ、同期シーケンス１６２ａ，１６２ｂと相関シーケンス１４０ａ，１４０ｂとの積１４２ａ，１４２ｂ、および個々の積の和に相当する相関結果１４４を示す。
【００７６】
周波数オフセットが送信機１００と受信機２００との間に生じる場合には、受信信号から相関シーケンスへの個々の積が、後述するように、その位相において互いに逸脱するので、相関ピークが減少する。
【００７７】
図５ｅは、データパケット１１２の概要図を示す。このデータパケット１１２は、その中に含まれるデータ１６０の間に配置された同期シーケンス１６２を有する（ホップ構造ａ）。データパケット１１２（受信信号）は、周波数オフセットを含んでいる。
【００７８】
さらに、図５ｅは、複素ベクトル表示で示す相関シーケンス１４０、同期シーケンス１６２と相関シーケンス１４０との積１４２、および個々の積の和に相当する相関結果１４４を示す。
【００７９】
図５ｅに示されるように、この場合の相関ピークは、僅かに小さくなっている。したがって、このパイロット信号配置は、周波数オフセットに対して堅牢（ロバスト）である。この結果、受信機２００は、少ない周波数の送信信号を同時にサーチするだけでよい。
【００８０】
しかしながら、周波数オフセットに対する堅牢性は、同時に、不利な点もある。周波数オフセットは実際には強い効果をもつわけではないので、上記のパイロット信号を用いて実際の周波数オフセットをうまく推定することは可能ではない。周波数オフセットを実際に推定できない場合、これは、多数の変調タイプの復号化に対して不利益となる。これは、そのような変調タイプは、修正されていな周波数オフセットが正確に修正されたものより増加すると、その実行能力が低下するからである。周波数オフセットの正確な推定が必要なのは、この正確な修正のためである。
【００８１】
これは、ホップ構造ｂのパイロット信号配置では異なる。それは、図５ｆに示されるように、相関ピークの可能な最も高い逸脱が、周波数オフセットを伴って生じるからである。
【００８２】
図５ｆは、データパケット１１２の概要を複素ベクトル表示で示す図である。このデータパケットは、２つの部分の同期シーケンス１６２ａ，１６２ｂを有し、第１の部分の同期シーケンス１６２ａが、データパケット１１２内に含まれるデータ１６０の前に配置され、第２の部分の同期シーケンス１６２ｂが、データパケット１１２内に含まれるデータ１６０の後に配置される（ホップ構造ｂ）。ここで、データパケット１１２（受信信号）は、周波数オフセットを示す。
【００８３】
さらに、図５ｆは、いずれも複素ベクトル表示の２つの部分の相関シース１４０ａ，１４０ｂ、同期シーケンス１６２ａ，１６２ｂと相関シーケンス１４０ａ，１４０ｂとの積１４２ａ，１４２ｂ、および個々の積の和に相当する相関結果１４４を示す。
【００８４】
したがって、周波数オフセットをうまく推定でき、周波数オフセットがあっても、ホップ構造ａを用いる場合よりも、非常に小さい相関ピークが得られる。
【００８５】
従来技術に比較したときの改善および利点は、受信機が送信信号１１３を（低）計算能力で検出でき、その一方で、周波数オフセットを正確に推定できることである。
【００８６】
図６は、本発明の実施形態に係るデータ送信装置１００の動作方法４００のフローチャートを示す。データ送信装置１００は、このデータ送信装置１００に電気エネルギを供給するエネルギ供給手段１０２を備える。この方法は、データ伝送装置１００に接続されたセンサ素子１１６により提供される有用データを判定４０２し、チャネル符号化データが得られるように有用データをチャネル符号化４０４し、チャネル符号化データを符号速度が１より小さい複数のデータパケット１１２に分割４０６し、複数のデータパケットを、通信チャネル経由で、エネルギ供給手段１０２により供給できる電気エネルギの量が複数のデータパケットのそれぞれを標準の送信電力で送信するのに十分となる時間遅れをもって、送信４０８する。複数のデータパケット１１２の送信４０８は、複数のデータパケット１１２のうちの送信しようとする１つのデータパケットを、エネルギ供給手段１０２により提供される電気エネルギ量が、そのデータパケットを標準送信電力に比べて最大で４０ｄＢ制限された制限送信電力で送信するのに十分な場合に、制限送信電力で送信し、あるいは、複数のデータパケット１１２のうちの送信しようとする１つのデータパケットを、エネルギ供給手段１０２により提供される電気エネルギ量が、そのデータパケットを送信するのに十分でない場合には、送信しないか、あるいは遅れをもって送信する。
【００８７】
図７は、データ受信機２００の動作方法５００のフローチャートを示す。この方法では、それぞれが１より小さい符号を有し通信チャネル経由で時間遅れをもって送信されたデータパケット１１２を受信５０２し、このデータパケット１１２の受信５０２では、受信データストリーム内のデータパケットを判定し、データパケット１２２の送信によりそれぞれに生じる受信データストリームの受信電力の変化を判定する。さらに、データパケット１１２を受信する手段２０２内で生じる受信パワーの変化に基づいて、受信データパケットが得られるように、データパケット１１２のそれぞれに重み付け５０４し、データパケットに含まれる有用データを得るように、受信データパケットの重みに依存する受信データパケットのチャネル復号化を実行する構成である受信データパケットをさらに処理５０６する。
【００８８】
本発明の実施形態は、送信装置１００の伝送動作を、その時々で利用可能なエネルギに適応させることができ、その一方で、伝送信頼性の制限を小さい範囲だけとしている。データ受信機２００は、この送信信号に小さい計算能力で同期し、その一方で、周波数オフセットを正確に推定する。
【００８９】
実施形態は、環境発電を含むデータ送信装置（低電力化送信機）１００のための無線方法に関し、送信しようとするデータ小さいデータパケット（サブパケット）１１２に分割する。不十分なエネルギしか供給されない場合には、個々のデータパケット１１２は、制限された電力で放出されるか、あるいは放出されない。データ受信機２００は、データパケット１１２が消失し、あるいは干渉を受けていることを認識し、チャネル符号化の結果を改善するため、それらを廃棄する。
【００９０】
実施形態は、多数の送信装置（ノード）１００からの少量のデータ、例えば熱、電気または水のメータからのデータのようなセンサデータを、データ受信機（基地局）２００に向けて伝送するシステム３００に関する。データ受信機（基地局）２００は、多層の送信装置（ノード）１００から受信（および可能な場合には制御）を行う。受信機（基地局）２００には、より大きな計算能力、そして複雑なハードウェアが利用できる。すなわち、受信機２００は、一般に、高性能化が可能である。送信装置（ノード）１００には、周波数オフセットが５ｐｐｍ，１０ｐｐｍあるいはそれ以上の従来の水晶発振器が使用される。実施形態は、他の分野の伝送方法にも適用できる。
【００９１】
いつかの観点を装置として説明したが、これらの観点は、対応する方法で記載することができる。すなわち、装置のブロックまたは構造的構成要素は、対応する方法ステップフまたは方法ステップの特徴として理解することができる。同様にして、関連して記述した側面、または方法ステップとしての側面は、対応する装置の対応するブロック、詳細あるいは特徴の記載を説明する。方法ステップの一部または全てを、マイクロプロセッサ、プログラマブルコンピュータ、あるいは電子回路などのハードウェア装置により（あるいはハードウェア装置を使用するときに）実行することができる。実施形態によっては、最も重要な方法ステップの一部を、そのような装置で実行することができる。
【００９２】
特定の実装要求に依存して、本発明の実施形態をハードウェアまたはソフトウェアにより実施することができる。例えば、プログラム可能なコンピュータシステムと共に動作できる、あるいは実際に動作する電気的に読み取り可能な制御信号が記録されたフレキシブルディスＤＶＤ、ブルーレイディス商標）ＣＤ、ＲＯＭ、ＲＰＯＭ、ＥＰＲＯＭ、ＥＥＰＲＯＭ（登録商標）、ＦＬＡＳＨメモリ、ハードディスク、あるいは他の磁気的または光学的記憶装置などのディジタル記憶媒体として実施し、それぞれの方法を実行することができる。これは、ディジタル記憶媒体がコンピュータ読み取り可能だからである。
【００９３】
本発明に係るいくつかの実施形態では、コンピュータシステムと共同で動作して上述したいずれかの方法を実行できる電気的に読み取り可能な制御信号を有するデータキャリアを含む。
【００９４】
一般に、本発明に係る実施形態は、コンピュータ上で動作するときにいずれかの方法を実行するスログラムコードを有するコンピュータプログラム製品として実施できる。
【００９５】
プログラムコードを、例えば、機械読み取り可能な担体に蓄えることもできる。
【００９６】
他の実施形態では、上述した方法のいずれかを実行するためのコンピュータプログラムを有し、このコンピュータプログラムが、機械読み取り可能な担体に蓄えられる。すなわち、本発明の実施形態は、コンピュータ上で動作するとき、ここで説明した方法のいずれかを実行するプログラムコードを有するコンピュータプログラムである。
【００９７】
本発明方法の他の実施形態は、上述したいずれかの方法を実行するコンピュータプログラムが記述されたデータ担体（またはディジタル記憶媒体またはコンピュータ読み取り可能媒体）である。
【００９８】
本発明方法の他の実施形態は、データストリーム、すなわちここで説明した方法のいずれかを実行するコンピュータプログラムを表現する信号のシーケンスである。このデータストリームあるいは信号シーケンスは、例えば、例えばインターネットなどのデータ通信リンクを経由して伝送されるように構成される。
【００９９】
さらなる実施形態は、ここで説明した方法のいずれかを実行するように構成され、あるいは適応された、例えばコンピュータ、あるいはプログラム可能論理素子などの処理手段を含む。
【０１００】
さらなる実施形態は、ここで説明した方法のいずれかを実施するためのコンピュータプログラムがインストールされたコンピュータを含む。
【０１０１】
本発明に係るさらなる実施形態は、ここで説明した方法の少なくとも１つを実行するコンピュータプログラムを受信機に伝送するように構成された装置またはシステムを有する。この伝送は、例えば、電気的または光学的に行われる。受信機は、例えば、コンピュータ、携帯装置、記憶装置あるいは同等の装置である。この装置またはシステムは、例えば、コンピュータプログラを受信機に送信するファイルサーバを含むことができる。
【０１０２】
いつかの実施形態では、ここで説明した方法の機能の一部または全てを実行するため、プログラム可能論理素子（例えばフィールドプログラマブルゲートアレイＦＰＧＡ）を使用することもできる。いくつかの実施形態では、ＦＰＧＡがマイクロプロセッサと協働し、ここで説明した方法のいずれかを実行する。一般に、いつかの実施形態において、方法はハードウェア装置により実行される。このハードウェア装置は、コンピュータプロセッサ（ＣＰＵ）などのどのような汎用ハードウェアでもよく、ＡＳＩＣのような方法に特化したハードウェアでもよい。
【０１０３】
以上説明した実施形態は、単に本発明の基本構成を示したものでる。他の当業者には、ここで説明した構成および詳細の修正および変形も適用できると考えられる。この理由から、本発明は、実施形態の説明および議論により示された特定の詳細により限定されるものではなく、特許請求の範囲のみにより限定されることを意図したものである。
【図１】
0006360186.tif 000002
【図２】
0006360186.tif 000003
【図３】
0006360186.tif 000004
【図４】
0006360186.tif 000005
【図５Ａ】
0006360186.tif 000006
【図５Ｂ】
0006360186.tif 000007
【図５Ｃ】
0006360186.tif 000008
【図５Ｄ】
0006360186.tif 000009
【図５Ｅ】
0006360186.tif 000010
【図５Ｆ】
0006360186.tif 000011
【図６】
0006360186.tif 000012
【図７】
0006360186.tif 000013